(57)【特許請求の範囲】
【請求項１】
無線通信のための方法であって、
活性化下りリンクＢＷＰ（ｂａｎｄｗｉｄｔｈ  ｐａｒｔ）に切り替えられるサービングセルに対する下りリンクＢＷＰに基づいて、前記活性化下りリンクＢＷＰに関連するタイマーを開始するステップと、
前記活性化下りリンクＢＷＰは基本（ｄｅｆａｕｌｔ）下りリンクＢＷＰでなく、
上りリンク準−持続的スケジューリング（ｓｅｍｉ−ｐｅｒｓｉｓｔｅｎｔ  ｓｃｈｅｄｕｌｉｎｇ；ＳＰＳ）リソースは前記活性化下りリンクＢＷＰに関連した上りリンクＢＷＰにおいて構成され、
前記上りリンクＳＰＳリソースの一つにおいて上りリンクデータを送信するステップと、
前記上りリンクＳＰＳリソースにおいて前記上りリンクデータが送信されることに基づいて、前記活性化下りリンクＢＷＰに関連するタイマーを再開するステップを含む、方法。
【請求項２】
ネットワークから無線リソース制御（ＲＲＣ）信号を通じて上りリンクのためのＳＰＳリソース構成に関する情報を受信するステップと、
前記上りリンクのためのＳＰＳリソース構成に関連する情報に基づいて、前記上りリンクＳＰＳリソースを構成するステップを含む、請求項１に記載の方法。
【請求項３】
前記上りリンクのためのＳＰＳリソース構成に関連する情報は、上りリンクに対するＳＰＳリソースインターバルの少なくとも一つ、又は上りリンクに対するＨｙｂｒｉｄ−ＡＲＱ（ＨＡＲＱ）プロセスの数を含む、請求項２に記載の方法。
【請求項４】
前記活性化下りリンクＢＷＰは、初期（ｉｎｉｔｉａｌ）下りリンクＢＷＰではない、請求項１に記載の方法。
【請求項５】
前記活性化下りリンクＢＷＰに関連するタイマーが動作する間、前記活性化下りリンクＢＷＰは活性化状態と見なす、請求項１に記載の方法。
【請求項６】
前記活性化下りＢＷＰと関連した前記タイマーの満了に基づいて、前記活性化下りリンクＢＷＰから前記基本（ｄｅｆａｕｌｔ）下りリンクＢＷＰ又は初期（ｉｎｉｔｉａｌ）下りリンクＢＷＰに切り替るステップをさらに含む、請求項１に記載の方法。
【請求項７】
前記上りリンクデータが前記上りリンクＳＰＳリソースで送信されない時、前記活性化下りリンクＢＷＰに関連するタイマーは再開されない、請求項１に記載の方法。
【請求項８】
無線通信のための装置であって、
メモリと、
前記メモリと動作的に結合したプロセッサを含み、
前記プロセッサは、
活性化下りリンクＢＷＰ（ｂａｎｄｗｉｄｔｈ  ｐａｒｔ）に切り替えられるサービングセルに対する下りリンクＢＷＰに基づいて、前記活性化下りリンクＢＷＰに関連するタイマーを開始し、
前記活性化下りリンクＢＷＰは、基本（ｄｅｆａｕｌｔ）下りリンクＢＷＰではなく、
上りリンクＳＰＳリソースは前記活性化下りリンクＢＷＰと関連する上りリンクＢＷＰにおいて構成され、
前記上りリンクＳＰＳリソースの一つにおいて上りリンクデータを送信し、
前記上りリンクＳＰＳリソースにおいて送信される前記上りリンクデータに基づいて、前記活性化下りリンクＢＷＰに関連するタイマーを再開する、装置。
【請求項９】
前記プロセッサは、
ネットワークから無線リソース制御（ＲＲＣ）信号を通じて上りリンクのためのＳＰＳリソース構成に関連する情報を受信し、
前記上りリンクのためのＳＰＳリソース構成に関連する情報に基づいて、前記上りリンクＳＰＳリソースを構成するようにさらに構成される、請求項８に記載の装置。
【請求項１０】
前記上りリンクのためのＳＰＳリソース構成に関連する情報は、上りリンクに対するＳＰＳリソースインターバルの少なくとも一つ、又は上りリンクに対するＨｙｂｒｉｄ−ＡＲＱ（ＨＡＲＱ）プロセスの数を含む、請求項９に記載の装置。
【請求項１１】
前記活性化下りリンクＢＷＰは、初期（ｉｎｉｔｉａｌ）下りリンクＢＷＰではない、請求項８に記載の装置。
【請求項１２】
前記プロセッサは、
前記活性化下りリンクＢＷＰに関連するタイマーが動作する間、前記活性化下りリンクＢＷＰは活性化状態であるとみなされるようにさらに構成される、請求項８に記載の装置。
【請求項１３】
前記プロセッサは、
前記活性化下りリンクＢＷＰと関連した前記タイマーの満了に基づいて、前記活性化下りリンクＢＷＰから、前記基本（ｄｅｆａｕｌｔ）下りリンクＢＷＰ又は初期（ｉｎｉｔｉａｌ）下りリンクＢＷＰに切り替えられるようにさらに構成された、請求項８に記載の装置。
【請求項１４】
前記下りリンクＳＰＳリソースで前記下りリンクデータが送信されない時、前記活性化下りリンクＢＷＰに関連するタイマーは再開されない、請求項８に記載の装置。
【発明の詳細な説明】
【技術分野】
【０００１】
本発明は、無線通信システムに関し、特に、無線通信システムにおけるＢＷＰ（Ｂａｎｄｗｉｄｔｈ  Ｐａｒｔ）動作を処理する方法及びその装置に関する。
【背景技術】
【０００２】
本発明が適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例として、Ｅ―ＵＭＴＳ網の構造を概略的に示した図である。Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ―ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ―ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ―ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多い通信装置がより大きい通信容量を要求することにより、既存のＲＡＴに比べて向上したモバイル広帯域通信が必要である。また、次世代通信において考慮すべき重要なイシューの１つが多い機器と客体を接続した様々なサービスを提供するＭＴＣ（Ｍａｓｓｉｖｅ  Ｍａｃｈｉｎｅ  Ｔｙｐｅ  Ｃｏｍｍｕｎｉｃａｔｉｏｎ）である。また、信頼性及び待機時間に敏感なサービス／ＵＥを考慮した通信システム設計が論議されている。ＥＭＢＢ（Ｅｎｈａｎｃｅｄ  Ｍｏｂｉｌｅ  ＢｒｏａｄＢａｎｄ）送信及びＵＲＬＬＣ（Ｕｌｔｒａ−Ｒｅｌａｙ  ａｎｄ  Ｌｏｗ  Ｌａｔｅｎｃｙ  Ｃｏｍｍｕｎｉｃａｔｉｏｎ）送信を考慮した次世代ＲＡＴの導入が論議されている。
【発明の概要】
【発明が解決しようとする課題】
【０００８】
これを解決するための本発明の目的は、無線通信システムにおいてＢＷＰ動作を処理するための方法及び装置を提供することにある。
【０００９】
より広い帯域幅動作において、準−持続的スケジューリング（ＳＰＳ）を端末に構成することができる。今までも合議によれば、ＤＬ  ＢＷＰ（Ｂａｎｄｗｉｄｔｈ  Ｐａｒｔ）は、下りリンク制御情報（ＤＣＩ）を介した下りリンク（ＤＬ）又は上りリンク（ＵＬ）スケジューリングによるか、又は該当ＤＬ  ＢＷＰに関連するＢＷＰ非活動タイマー（ＢＷＰ  ｉｎａｃｔｉｖｉｔｙ  ｔｉｍｅｒ）の満了によって切り替えられる。現在のＳＰＳ手順によれば、上位層であるＲＲＣ（Ｒａｄｉｏ  Ｒｅｓｏｕｒｃｅ  Ｃｏｎｔｒｏｌ）によって設定されたＳＰＳが活性化されると、端末は、特に明示的なＤＬ／ＵＬスケジューリング割り当てなく、周期的にＤＬ  ｄａｔａを受信又はＵＬ  ｄａｔａを送信するとき、設定されたＳＰＳリソースを用いることができる。ＭＡＣ  エンティティがＵＬ送信ＳＰＳリソースをスキップ（ｓｋｉｐ）するように設定された場合、ＭＡＣ  ＳＤＵのないＭＡＣ  ＰＤＵを有する周期的ＢＳＲ（Ｂｕｆｆｅｒ  Ｓｔａｔｕｓ  Ｒｅｐｏｒｔｉｎｇ）又はフェーディングＢＳＲを有するＭＡＣ  ＣＥのみを含む場合、端末は、設定されたＳＰＳリソースを用いない。かかる条件下、上りリンクリソース又は下りリンクリソースを用いて、送信又は受信するＭＡＣ  ＰＤＵがない場合、設定されたＤＬ／ＵＬ  ＳＰＳリソースも実際に用いられない。
【００１０】
一方、今までの合議によれば、端末は、その活性化されたＤＬ  ＢＷＰ（又は、その活性化されたＤＬ−ＵＬ  ＢＷＰペア）内のＰＤＳＣＨのスケジューリングのためのＤＣＩを成功裏にデコーディングしたときに限って、その活性化ＤＬ  ＢＷＰに関連するＢＷＰ非活性化タイマーを初期値として再開する。端末は、ＤＣＩを介したＤＬ／ＵＬスケジューリング情報の明示的な受信なく、設定されたＤＬ／ＵＬ  ＳＰＳリソースを用いてＭＡＣ  ＰＤＵを受信したり送信したりすることができるが、ＢＷＰ非活性タイマーは再開しない。
【００１１】
換言すれば、端末は、活性化されたＤＬ  ＢＷＰにおいてＤＬ  ＳＰＳデータを受信したにもかかわらず、ＢＷＰ非活性タイマーが満了することで、ｄｅｆａｕｌｔ  ＤＬ  ＢＷＰに切り替えられる。この問題点は、端末がｄｅｆａｕｌｔ  ＤＬ  ＢＷＰの他に活性化されたＤＬ  ＢＷＰにおいて、ＤＣＩなく用いられるＳＰＳリソースを考慮してＢＷＰ非活性タイマーを再開しないことから生じる。
【００１２】
本発明で遂げようとする技術的課題は以上で言及した技術的課題に制限されず、言及していない他の技術的課題は、以下の記載から、本発明の属する技術の分野における通常の知識を有する者に明確に理解されるであろう。
【課題を解決するための手段】
【００１３】
本発明の上述した目的は請求範囲に記載したような無線通信システムにおけるユーザ端末（ＵＥ）の動作方法を提供することによって達成できる。
【００１４】
本発明の他の態様において、請求範囲に記載したような通信装置が提供される。
【００１５】
前記一般的な説明と以下の本発明の詳細な説明はいずれも例示的なもので、特許請求範囲に記載したような本発明をより詳細に説明するためのものである。
【発明の効果】
【００１６】
端末がより広い帯域幅を有するセル内においてＳＰＳ動作を成功裏に行うためには、端末がＤＣＩなくＳＰＳ  ｄａｔａを送信又は受信するＳＰＳ動作におけるＢＷＰ非活性タイマーの影響を考慮する必要がある。この観点から、ＳＰＳ動作が活性化の間、該ＳＰＳリソースが設定されたＢＷＰは常に活性化した状態が好ましい。本発明によれば、データがＳＰＳリソースを介して送信又は受信されるとき、ＤＬ  ＢＷＰは予告なく変更されないため、データ損失を減らすことができる。
【００１７】
本発明から得られる効果は、以上で言及した効果に制限されず、言及していない他の効果は、下の記載及び参照された図面から、本発明の属する技術の分野における通常の知識を有する者に明確に理解されるであろう。
【図面の簡単な説明】
【００１８】
本明細書に添付する図面は、本発明に関する理解を提供するためのものであり、本発明の様々な実施の形態を示し、明細書の記載と共に本発明の原理を説明するためのものである。
【００１９】
【図１】無線通信システムの一例であり、Ｅ―ＵＭＴＳネットワーク構造を概略的に示す図である。
【図２ａ】Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図である。
【図２ｂ】一般的なＥ―ＵＴＲＡＮとＥＰＣの構造を示すブロック図である。
【図３】３ＧＰＰ無線接続網規格に基づく端末とＥ―ＵＴＲＡＮとの間における無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。
【図４】図４ａは、ＮＧ無線アクセスネットワーク（ＮＧ−ＲＡＮ）アーキテクチャーのネットワーク構造を示すブロック図であり、図４ｂは、ＮＧ−ＲＡＮと５Ｇコアネットワーク（５ＧＣ）との間に機能的分割アーキテクチャーを説明するブロック図である。
【図５】３ＧＰＰ（３ｒｄ  ｇｅｎｅｒａｔｉｏｎ  ｐａｒｔｎｅｒｓｈｉｐ  ｐｒｏｊｅｃｔ）無線アクセスネットワーク標準に基づくＵＥとＮＧ−ＲＡＮ間の無線インターフェースプロトコルのコントロールプレーン及びユーザプレーンを示す図である。
【図６】本発明の一実施例による通信装置のブロック図である。
【図７】従来のＢＷＰ（Ｂａｎｄｗｉｄｔｈ  Ｐａｒｔ）動作の一例を示す図である。
【図８】本発明の実施例による無線通信システムにおいて端末によってＢＷＰ動作を処理する方法に関する概念図である。
【図９】本発明の実施例による無線通信システムにおいてＢＷＰ動作を処理する方法の一例を示す図である。
【図１０】本発明の実施例による無線通信システムにおいてＢＷＰ動作を処理する方法の一例を示す図である。
【図１１】本発明の実施例による無線通信システムにおいて基地局によってＢＷＰ動作を処理する方法に関する概念図である。
【発明を実施するための形態】
【００２０】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ，３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００２１】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００２２】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２３】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００２４】
図２ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２５】
図２ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２６】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２７】
図２ｂは、一般的なＥ―ＵＴＲＡＮと一般的なＥＰＣの構造を示すブロック図である。
【００２８】
図２ｂに示したように、ｅＮＢ２０は、ユーザプレーン及びコントロールプレーンのエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００２９】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００３０】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３１】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００３２】
図２ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ，ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割り当て、ｅＮＢ測定の構成及び準備、無線ベアラ制御、無線承認制御（Ｒａｄｉｏ  Ａｄｍｉｓｓｉｏｎ  Ｃｏｎｔｒｏｌ，ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザプレーン暗号化、システム構造エボリューション（Ｓｙｓｔｅｍ  Ａｒｃｈｉｔｅｃｔｕｒｅ  Ｅｖｏｌｕｔｉｏｎ，ＳＡＥ）ベアラ制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００３３】
ＥＰＣは、移動性管理エンティティ（Ｍｏｂｉｌｉｔｙ  Ｍａｎａｇｅｍｅｎｔ  Ｅｎｔｉｔｙ，ＭＭＥ）、サービング―ゲートウェイ（ｓｅｒｖｉｎｇ―ｇａｔｅｗａｙ，Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ，ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイで、ＰＤＮ―ＧＷは、パケットデータネットワーク（ＰＤＮ）を終端点として有するゲートウェイである。
【００３４】
図３は、３ＧＰＰ無線接続網規格に基づく端末とＥ―ＵＴＲＡＮとの間の無線インターフェースプロトコルのコントロールプレーン及びユーザプレーンの構造を示す図である。コントロールプレーンは、端末（Ｕｓｅｒ  Ｅｑｕｉｐｍｅｎｔ；ＵＥ）とネットワークがコールを管理するために用いる各制御メッセージが送信される通路を意味する。ユーザプレーンは、アプリケーション層で生成されたデータ、例えば、音声データ又はインターネットパケットデータなどが送信される通路を意味する。
【００３５】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間でデータが移動する。送信側と受信側の物理層間は、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３６】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４，ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不要な制御情報を減少させるヘッダ圧縮（Ｈｅａｄｅｒ  Ｃｏｍｐｒｅｓｓｉｏｎ）機能を行う。
【００３７】
第３層の最下部に位置した無線リソース制御（Ｒａｄｉｏ  Ｒｅｓｏｕｒｃｅ  Ｃｏｎｔｒｏｌ；ＲＲＣ）層は、コントロールプレーンのみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３８】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００３９】
Ｅ―ＵＴＲＡＮから端末への送信のための下りリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ，ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００４０】
端末からネットワークにデータを送信する上りリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００４１】
図４ａは、ＮＧ無線アクセスネットワーク（ＮＧ-ＲＡＮ）アーキテクチャーのネットワーク構造を示すブロック図であり、図４ｂは、ＮＧ-ＲＡＮと５Ｇコアネットワーク（５ＧＣ）との間の機能的分割アーキテクチャーを説明するブロック図である。
【００４２】
ＮＧ-ＲＡＮノードは、端末に向けてＮＲユーザプレーン及びコントロールプレーンプロトコルの終端を提供するｇＮＢであるか、又は端末に向けてＥ−ＵＴＲＡユーザプレーン及びコントロールプレーンプロトコルの終端を提供するｎＧ−ｅＮＢである。
【００４３】
ｇＮＢとｎｇ−ｅＮＢは、Ｘｎインターフェースを介して互いに接続する。また、ｇＮＢ及びｎｇ−ｅＮＢは、ＮＧインターフェースを介して５ＧＣに、より具体的には、ＮＧ−Ｃインターフェースを介してＡＭＦ （Ａｃｃｅｓｓ  ａｎｄ  Ｍｏｂｉｌｉｔｙ  Ｍａｎａｇｅｍｅｎｔ  Ｆｕｎｃｔｉｏｎ）に、及びＮＧ−Ｕインターフェースを介してＵＰＦ（Ｕｓｅｒ  Ｐｌａｎｅ  Ｆｕｎｃｔｉｏｎ）に、接続する。
【００４４】
Ｘｎインターフェースは、Ｘｎユーザプレーン（Ｘｎ−Ｕ）及びＸｎコントロールプレーン（Ｘｎ−Ｃ）を含む。Ｘｎユーザプレーン（Ｘｎ−Ｕ）インターフェースは、２個のＮＧ−ＲＡＮノードの間に定義される。送信ネットワーク層は、ＩＰ送信上に構築され、ＧＴＰ−Ｕは、ユーザプレーンＰＤＵを送信するために、ＵＤＰ／ＩＰ上端において用いられる。Ｘｎ−Ｕは、ユーザプレーンＰＤＵの無保証（ｎｏｎ−ｇｕａｒａｎｔｅｅｄ）伝達を提供して、以下の機能を支援する。i）データフォーワーディング及びii）フロー制御。Ｘｎコントロールプレーンインターフェース（Ｘｎ−Ｃ）は、２個のＮＧ−ＲＡＮノードの間に定義される。送信ネットワーク層は、ＩＰ上端のＳＣＴＰ上に構築される。アプリケーション層シグナリングプロトコルは、ＸｎＡＰ（Ｘｎ  Ａｐｐｌｉｃａｔｉｏｎ  Ｐｒｏｔｏｃｏｌ）とも呼ばれる。ＳＣＴＰ層は、アプリケーション層メッセージの保証された伝達を提供する。送信ＩＰ層において、ポイント−ツ−ポイント（ｐｏｉｎｔ−ｔｏ−ｐｏｉｎｔ）送信は、シグナリングＰＤＵの伝達に用いられる。Ｘｎ−Ｃインターフェースは、i）Ｘｎインターフェース管理、ｉｉ）コンテキスト送信及びＲＡＮページングを含むＵＥ移動性管理、及びｉｉｉ）二重連結性（Ｄｕａｌ  ｃｏｎｎｅｃｔｉｖｉｔｙ）機能を支援する。
【００４５】
ＮＧインターフェースには、ＮＧユーザプレーン（ＮＧ−Ｕ）及びＮＧコントロールプレーン（ＮＧ−Ｃ）が含まれる。ＮＧユーザプレーンインターフェース（ＮＧ−Ｕ）は、ＮＧ−ＲＡＮノードとＵＰＦとの間に定義される。送信ネットワーク層は、ＩＰ送信上に構築され、ＧＴＰ−Ｕは、ＮＧ−ＲＡＮノードとＵＰＦとの間でユーザプレーンＰＤＵを伝達するために、ＵＤＰ／ＩＰ上端において用いられる。ＮＧ−Ｕは、ＮＧ−ＲＡＮノードとＵＰＦとの間のユーザプレーンＰＤＵの無保証伝達を提供する。
【００４６】
ＮＧコントロールプレーンインターフェース（ＮＧ−Ｃ）は、ＮＧ−ＲＡＮノードとＡＭＦとの間に定義される。送信ネットワーク層は、ＩＰ送信上に構築される。信号メッセージの安定した送信のために、ＳＣＴＰがＩＰ上端に追加される。アプリケーション層シグナリングプロトコルは、ＮＧＡＰ（ＮＧ  Ａｐｐｌｉｃａｔｉｏｎ  Ｐｒｏｔｏｃｏｌ）とも呼ばれる。ＳＣＴＰ層は、アプリケーション層メッセージの保証された伝達を提供する。上述した送信時に、ＩＰ層ポイント−ツ−ポイント送信を用いてシグナリングＰＤＵを伝達する。
【００４７】
ＮＧ−Ｃは、i）ＮＧインターフェース管理、ｉｉ）ＵＥコンテキスト管理、ｉｉｉ）ＵＥ移動性管理、ｉｖ）設定伝達、及びｖ）警告メッセージ送信の機能を提供する。
【００４８】
ｇＮＢ及びｎｇ−ｅＮＢは、i）無線リソース管理のための機能、即ち、無線ベアラ制御、無線許容制御、接続移動性制御、上りリンク及び下りリンク（スケジューリング）の両方におけるＵＥへのリソースの動的割り当て、ｉｉ）ＩＰヘッダ圧縮、データの暗号化及び無欠性保護、ｉｉｉ）端末が提供する情報からＡＭＦへのルーティングが決定できない時、端末アタッチにおけるＡＭＦの選択、ｉｖ）ＵＰＦへのユーザプレーンデータのルーティング、ｖ）ＡＭＦへのコントロールプレーン情報のルーティング、ｖｉ）接続設定及びリリース、ｖｉｉ）（ＡＭＦ由来の）ページングメッセージのスケジューリング及び送信、ｖｉｉｉ）（ＡＭＦ又はＯ＆Ｍ由来の）システム放送情報のスケジューリング及び送信、ｉｘ）移動性及びスケジューリングのための測定及び測定報告設定、ｘ）上りリンクにおける送信レベルパケットマーキング、ｘｉ）セッション管理、ｘｉｉ）ネットワークスライシング支援、及びｘｉｉｉ）ＱｏＳフロー管理及びデータ無線ベアラへのマッピングなどの機能を担当する。アクセス及び移動性管理機能（Ａｃｃｅｓｓ  ａｎｄ  Ｍｏｂｉｌｉｔｙ  Ｍａｎａｇｅｍｅｎｔ  Ｆｕｎｃｔｉｏｎ，ＡＭＦ）は、ｉ）ＮＡＳシグナリング終了、ｉｉ）ＮＡＳ信号保安、ｉｉｉ）ＡＳ保安制御、ｉｖ）３ＧＰＰアクセスネットワーク間の移動性のためのインターＣＮノードシグナリング、ｖ）遊休モードＵＥ到達可能性（ページング再送信の制御及び実行含み）、ｖｉ）登録領域管理、ｖｉｉ）システム内及びシステム間の移動性支援、ｖｉｉｉ）アクセス認証、ｉｘ）移動性管理制御（加入及び政策）、ｘ）ネットワークスライシング支援、及びｘｉ）ＳＭＦ選択の主な機能を担当する。
【００４９】
ユーザプレーン機能（Ｕｓｅｒ  Ｐｌａｎｅ  Ｆｕｎｃｔｉｏｎ，ＵＰＦ）は、ｉ）ＲＡＴ内／ＲＡＴ間の移動性のためのアンカーポイント（該当する場合）、ｉｉ）データネットワークへの相互接続の外部ＰＤＵセッションポイント、ｉｉｉ）パケット検査及び政策規則執行のユーザプレーン部分、ｉｖ）トラフィック使用報告、ｖ）データネットワークへのトラフィックフローのルーティングを支援する上りリンク分類器、ｖｉ）ユーザプレーンへのＱｏＳ処理、例えば、パケットフィルタリング、ゲーティング、ＵＬ／ＤＬレート施行、及びｖｉｉ）上りリンクトラフィック検証（ＳＤＦ対ＱｏＳフローマッピング）の主な機能を担当する。
【００５０】
セッション管理機能（Ｓｅｓｓｉｏｎ  Ｍａｎａｇｅｍｅｎｔ  Ｆｕｎｃｔｉｏｎ，ＳＭＦ）は、ｉ）セッション管理、ｉｉ）ＵＥ  ＩＰアドレス割り当て及び管理、ｉｉｉ）ＵＰ機能の選択及び制御、ｉｖ）トラフィックを適宜な対象へルーティングするためのＵＰＦにおけるトラフィック調整設定、ｖ）政策執行の制御部分及びＱｏＳ制御、ｖｉ）下りリンクデータ通報の主な機能を担当する。
【００５１】
図５は、３ＧＰＰ（３ｒｄ  ｇｅｎｅｒａｔｉｏｎ  ｐａｒｔｎｅｒｓｈｉｐ  ｐｒｏｊｅｃｔ）無線アクセスネットワーク標準に基づくＵＥとＮＧ−ＲＡＮとの間の無線インターフェースプロトコルのコントロールプレーン及びユーザプレーンを示す図である。
【００５２】
ユーザプレーンプロトコルスタックは、Ｐｈｙ、ＭＡＣ、ＲＬＣ、ＰＤＣＰ及び５Ｇ  ＱｏＳモデルを支援するために新たに導入されたＳＤＡＰ（Ｓｅｒｖｉｃｅ  Ｄａｔａ  Ａｄａｐｔａｔｉｏｎ  Ｐｒｏｔｏｃｏｌ）を含む。
【００５３】
ＳＤＡＰエンティティの主なサービス及び機能は、ｉ）ＱｏＳフローとデータ無線ベアラ間のマッピング、ｉｉ）ＤＬ及びＵＬパケットの両方におけるＱｏＳフローＩＤ（ＱＦＩ）表示である。ＳＤＡＰの単一プロトコルエンティティは、各々のＰＤＵセッションごとに設定される。
【００５４】
ＱｏＳフローに対して上位層からＳＤＡＰ  ＳＤＵを受信するとき、送信ＳＤＡＰエンティティは、ＱｏＳフローに対して格納されたＱｏＳフローに対するＤＲＢマッピングの規則がない場合、ＳＤＡＰ  ＳＤＵをデフォルトＤＲＢにマッピングすることができる。ＱｏＳフローに対して格納されたＱｏＳフローに対するＤＲＢマッピングの規則がある場合、ＳＤＡＰエンティティは格納されたＱｏＳフローに対するＤＲＢマッピングの規則に従って、ＳＤＢ  ＳＤＵをＤＲＢにマッピングすることができる。また、ＳＤＡＰエンティティは、ＳＤＡＰ  ＰＤＵを構成して、下位層に伝達することができる。
【００５５】
図６は、本発明の実施例による通信装置のブロック図である。
【００５６】
図６に示された装置は、上述したメカニズムを実行するように構成された端末（ＵＥ）及び／又は基地局（ｅＮＢ又はｇＮＢ）であるが、この装置は、同一動作を行ういずれの装置であってもよい。
【００５７】
図６に示されたように、通信装置１１００及び通信装置１２００のうち、いずれか一方は端末（ＵＥ）であり、他方は基地局であってもよい。代案として、通信装置１１００及び通信装置１２００のうちいずれか一方はＵＥであり、他方は他のＵＥであってもよい。代案として、通信装置１１００及び通信装置１２００のうちいずれか一方はネットワークノードであり、他方は他のネットワークノードであってもよい。本発明において、ネットワークノードは基地局（ＢＳ）であってもよい。幾つかのシナリオにおいて、ネットワークノードは、核心網装置（例えば、移動性管理機能を有するネットワーク装置、セッション管理機能を有するネットワークノードなど）であってもよい。
【００５８】
本発明の幾つかのシナリオにおいて、通信装置１１００，１２００のうち１つ、又は通信装置１１００，１２００の各々は、外部装置へ／から無線信号送信／受信するように構成された無線通信装置であるか、外部装置へ／から無線信号を送信／受信する無線通信モジュールを備えてもよい。無線通信モジュールは、送受信器（ｔｒａｎｓｃｅｉｖｅｒ）であってもよい。無線通信装置は、ＵＥやＢＳに限定されず、無線通信装置は、車両通信システムや装置、ウェアラブル装置、ラップトップ、スマートホンなどのように、本発明の１つ又は２つ以上の実施を行うように構成された適宜な任意の移動演算装置であってもよい。本発明において、ＵＥ又はＢＳと呼ばれる通信装置は、車両通信システムや装置、ウェアラブル装置、ラップトップ、スマートホンなどのような任意の無線通信装置に取り替えられてもよい。
【００５９】
本発明において、通信装置１１００，１２００は、プロセッサ１１１１，１２１１及びメモリ１１１２，１２１２を含む。通信装置１１００は、送受信器１１１３，１２１３をさらに含むか、機能的に送受信器１１１３，１２１３に接続するように構成されてもよい。
【００６０】
プロセッサ１１１１及び／又は１２１１は、本発明に記載の機能、手順及び／又は方法を行う。１つ以上のプロトコルは、プロセッサ１１１１及び／又は１２１１によって行われることができる。例えば、プロセッサ１１１１及び／又は１２１１は、１つ以上の層（例えば、機能的な層）を実行することができる。プロセッサ１１１１及び／又は１２１１は、本発明に記載の機能、手順及び／又は方法に従って、プロトコルデータユニット（Ｐｒｏｔｏｃｏｌ  Ｄａｔａ  Ｕｎｉｔ：ＰＤＵ）及び／又はサービスデータユニット（Ｓｅｒｖｉｃｅ  ｄａｔａ  Ｕｎｉｔ：ＳＤＵ）を生成することができる。プロセッサ１１１１及び／又は１２１１は、本発明に記載の機能、手順及び／又は方法に従って、メッセージ又は情報を発生させることができる。プロセッサ１１１１及び／又は１２１１は、本発明に記載の機能、手順及び／又は方法に従って、ＰＤＵ、ＳＤＵ、メッセージ又は情報を含む信号（例えば、ベースバンド信号）を生成して、自身に接続された送受信器１１１３及び／又は１２１３に提供することができる。プロセッサ１１１１及び／又は１２１１は、本発明に記載の機能、手順及び／又は方法に従って、自身に接続された送受信器１１１３及び／又は１２１３から信号（例えば、ベースバンド信号）を受信して、ＰＤＵ、ＳＤＵ、メッセージ又は情報を取得することができる。
【００６１】
メモリ１１１２及び／又は１２１２は、ネットワークノードのプロセッサに接続されて様々な種類のＰＤＵ、ＳＤＵ、メッセージ、情報及び／又は命令を格納する。メモリ１１１２及び／又は１２１２は、プロセッサ１１１１及び／又は１２１１の内部又は外部にそれぞれ配列され、有／無線接続のような様々な技術によってプロセッサ１１１１及び／又は１２１１にそれぞれ接続されることができる。
【００６２】
送受信器１１１３及び／又は１２１３は、プロセッサ１１１１及び／又は１２１１にそれぞれ接続され、外部装置へ／から信号を送信及び／又は受信するようにプロセッサ１１１１及び／又は１２１１によってそれぞれ制御されることができる。プロセッサ１１１１及び／又は１２１１は、通信を開始して、有線インターフェース又は無線インターフェースを通じて送信又は受信される様々な種類の情報又はデータを含む信号を送信又は受信するように、送受信器１１１３及び／又は１２１３をそれぞれ制御することができる。
【００６３】
ＵＥ又はＢＳのような無線通信装置において、アンテナは、ラジオ信号（即ち、無線信号）の送受信を容易にする。無線通信装置において、送受信器１１１３及び／又は１２１３は、ラジオ周波数（ＲＦ）信号のような無線信号を送信及び／又は受信する。無線通信装置（例えば、ＢＳ又はＵＥ）である通信装置に対して送受信器１１１３及び／又は１２１３はＲＦユニットとも呼ばれる。幾つかの実施において、送受信器１１１３及び／又は１２１３は、これに接続されたプロセッサ１１１１及び／又は１２１１から提供されるベースバンド信号を伝達して、ラジオ周波数を有するラジオ信号に変換する。無線通信装置において、送受信器１１１３又は１２１３は、本発明に記載の機能、手順及び／又は方法に従って、ＰＤＵ、ＳＤＵ、メッセージ又は情報を含むラジオ信号をラジオインターフェース（例えば、時間／周波数リソース）を通じて送信又は受信することができる。幾つかの実施において、送受信器１１１３及び／又は１２１３は、他の通信装置からラジオ周波数を有するラジオ信号を受信する場合、このラジオ信号を伝達して、ベースバンド信号に変換し、プロセッサ１１１１及び／又は１２１１によって処理させる。ラジオ周波数は、搬送波周波数（ｃａｒｒｉｅｒ  ｆｒｅｑｕｅｎｃｙ）とも呼ばれる。ＵＥにおいて、処理された信号は、様々な技術によって端末のスピーカを通じて出力される可聴又は可読情報への変換などで処理されることができる。
【００６４】
本発明の幾つかのシナリオにおいて、本発明に記載の機能、手順及び／又は方法は、プロセシングチップによって行われることができる。プロセシングチップは、システムオンチップ（Ｓｙｓｔｅｍ  ｏｎ  Ｃｈｉｐ：ＳｏＣ）であってもよい。プロセシングチップは、プロセッサ１１１１又は１２１１及びメモリ１１１２又は１２１２を含み、通信装置１１００又は１２００に実装、設置又は接続されることができる。プロセシングチップは、ここに記述された方法及び／又は過程のうちいずれか１つを実行又は制御して、及び／又はその方法及び／又は過程がプロセシングチップが実装、設置又は接続される通信装置によって行われるように構成できる。プロセシングチップのメモリ１１１２又は１２１２は、プロセッサによって実行するとき、本発明において論議される機能、方法又は過程のうち一部又は全部をプロセッサに行わせる命令を含むソフトウェアコードを格納するように構成できる。プロセシングチップのメモリ１１１２又は１２１２は、プロセシングチップのプロセッサが生成した情報又はデータ、又はプロセシングチップのプロセッサが復旧又は取得した情報を格納したりバッファリングすることができる。この情報又はデータの送信又は受信を伴う１つ以上の過程は、プロセシングチップのプロセッサ１１１１又は１１２１によって、又はプロセシングチップのプロセッサ１１１１又は１１２１の制御下に行われることができる。例えば、プロセシングチップに機能的に接続又はカップリングされた送受信器１１１３又は１２１３は、プロセシングチップのプロセッサ１１１１又は１１２１の制御下、情報又はデータを含む信号を送信又は受信することができる。
【００６５】
無線通信装置（例えば、ＢＳ又はＵＥ）である通信装置に対して、上述した通信装置は、単一アンテナ又は多重アンテナを含むか備えることができる。アンテナは、他の無線通信装置へ／から無線信号を送信及び／又は受信するように構成できる。
【００６６】
ＵＥである通信装置に対して、上述した通信装置は、電力管理モジュール、アンテナ、バッテリー、ディスプレイ、キーパッド、グローバル位置システム（Ｇｌｏｂａｌ  Ｐｏｓｉｔｉｏｎｉｎｇ  Ｓｙｓｔｅｍ：ＰＳ）チップ、センサ、メモリ装置、加入者識別モジュール（Ｓｕｂｓｃｒｉｂｅｒ  Ｉｄｅｎｔｉｆｉｃａｔｉｏｎ  Ｍｏｄｕｌｅ：ＳＩＭ）カード（これは、選択的）、スピーカ及び／又はマイクをさらに含むか備えることができる。ＵＥは、単一アンテナ又は多重アンテナを含むか備えることができる。ユーザは、様々な種類の情報（例えば、電話番号のような命令情報）をキーパッドのボタンを押したり、マイクを用いたボイス活性化（ｖｏｉｃｅ  ａｃｔｉｖａｔｉｏｎ）のような様々な技術を用いて入力することができる。ＵＥのプロセッサは、ユーザの情報を受信して処理し、電話番号のダイアリングのような適宜な機能を行う。幾つかのシナリオにおいて、上述した機能を行うために、データ（例えば、動作データ）をＳＩＭカードやメモリ装置から読み込むことができる（ｒｅｔｒｉｅｖｅ）。幾つかのシナリオにおいて、ＵＥのプロセッサは、カーナビゲーション、マップサービスなどのようにＵＥの位置に関連する機能を行うために、ＧＰＳチップからＧＰＳ情報を受信して処理することができる。幾つかのシナリオにおいて、プロセッサは、ユーザの参照及び便宜性のために、これらの様々な種類の情報及びデータをディスプレイ上にディプレイすることができる。幾つかの実施において、センサは、ＵＥのプロセッサに接続されることができる。センサは、速度、加速度、光、振動、近接性、位置、イメージなどを含むが、これに限定されない様々な種類の情報が検出できるように構成された１つ以上のセンシング装置を含むことができる。ＵＥのプロセッサは、このセンサから取得したセンサ情報を受信して処理することができ、衝突回避、自律走行などのような様々な種類の機能を行うことができる。様々な構成要素（例えば、カメラ、汎用直列バス（ｕｎｉｖｅｒｓａｌ  Ｓｅｒｉａｌ  Ｂｕｓ：ＵＳＢ）ポートなど）がＵＥにさらに含まれてもよい。例えば、カメラがＵＥのプロセッサにさらに接続されてもよく、自律走行、車両安全サービスなどのような様々なサービスのために用いられてもよい。幾つかのシナリオにおいて、一部の構成要素、例えば、キーパッド、ＧＰＳチップ、センサ、スピーカ及び／又はマイクは、ＵＥにおいて具現されなくてもよい。
【００６７】
図７は、従来のＢＷＰ（Ｂａｎｄｗｉｄｔｈ  Ｐａｒｔ）動作の一例を示す図である。
【００６８】
帯域幅適応技術（Ｂａｎｄｗｉｄｔｈ  Ａｄａｐｔａｔｉｏｎ（ＢＡ））において、ＵＥの送受信帯域幅は、セルの帯域幅と同一である必要がなく、以下のように調整できる：幅の変更を（例えば、省電力のために、低活性期間には低減するように）指示してもよい；（例えば、スケジューリング柔軟性を増加させるために）周波数ドメインにおいて位置を移動させてもよい；及び（例えば、互いに異なるサービスを許容するために）サブキャリアスペーシング（ｓｕｂｃａｒｒｉｅｒ  ｓｐａｃｉｎｇ）の変更を指示してもよい。１つのセルの総セル帯域幅のサブセットを帯域幅部分（Ｂａｎｄｗｉｄｔｈ  Ｐａｒｔ：ＢＷ）といい、ＵＥにＢＷを設定して、設定されたＢＷＰのうちいずれのＢＷが現在に活性化されているかをＵＥに知らせることでＢＡを具現する。
【００６９】
ＰＣｅｌｌにおいてＢＡができるように、ｇＮＢはＵＥにＵＬ及びＤＬ  ＢＷＰを設定する。ＣＡの場合、ＳＣｅｌｌにおいてＢＡができるように、ｇＮＢはＵＥに少なくともＤＬ  ＢＷＰを設定する（ＵＬにはＢＷＰがないこともある）。ＰＣｅｌｌに対して、初期ＢＷＰは、初期接続のために用いられるＢＷＰである。ＳＣｅｌｌに対して、初期ＢＷＰとは、ＳＣｅｌｌ活性化においてＵＥが最初に動作するときに用いるように設定されたＢＷＰである。
【００７０】
ペアリングされたスペクトルにおいて、ＤＬ及びＵＬはＢＷＰを独立的に切り替えることができる。ペアリングされていないスペクトルにおいては、ＤＬ及びＵＬはＢＷＰを同時に切り替えることができる。設定されたＢＷＰ間の切り替えは、ＤＣＩや非活性化タイマーによって発生し得る。サービングセルに非活性化タイマーを設定する場合、セルに関連する非活性化タイマーが満了される時、活性ＢＷＰがネットワークで設定した既存（デフォルト）ＢＷＰに切り替えられる。
【００７１】
ＢＡを設定するとき、合理的なＵＥバッテリー消耗のために、各ＵＬ搬送波のためのただ１つのＵＬ  ＢＷＰと１つのＤＬ  ＢＷＰ、又はただ１つのＤＬ／ＵＬ  ＢＷＰペアのみがいずれかの一時点に活性サービングセルで活性化されることができ、ＵＥに構成されたその他のＢＷＰは、いずれも非活性化される。ＵＥは、非活性ＢＷＰではＰＤＣＣＨをモニタリングせず、ＰＵＣＣＨ、ＰＲＡＣＨ及びＵＬ−ＳＣＨにおける送信も行わない。
【００７２】
ＢＡが設定される場合、ＵＥは上述した１つの活性ＢＷＰでＰＤＣＣＨをモニタリングすればよい。即ち、ＵＥは、セルのＤＬ周波数全体においてＰＤＣＣＨをモニタリングする必要がない。（上述したＤＲＸ非活性タイマーとは独立的な）ＢＷＰ非活性タイマーは、活性ＢＷＰから基本ＢＷＰへの切り替えのために用いられる：ＰＤＣＣＨのデコーディングが成功であれば、タイマーは再開され、タイマーが満了すると、基本ＢＷＰへの切り替えが発生する。
【００７３】
今までの合議によれば、ＤＬ／ＵＬ  ＢＷＰは、以下のように定義できる：
【００７４】
−  初期活性ＤＬ／ＵＬ  ＢＷＰ：これはＲＲＣ接続中又はＲＲＣ接続設定後、ＵＥにＢＷＰが明示的に（再）設定されるまで有効である。ＵＥがＲＲＣ接続設定を完了した後に限って、最初のＲＲＣ接続再設定（ＲＲＣ  Ｃｏｎｎｅｃｔｉｏｎ  ｒｅｃｏｎｆｉｇｕｒａｔｉｏｎ）を受信することができるため、ＢＷＰ切り替えは、ＲＲＣ接続設定のためのＲＡ過程中には起こらないと理解できる。
【００７５】
−  基本ＤＬ／ＵＬ  ＢＷＰ：Ｐｃｅｌｌにおいて、基本ＤＬ  ＢＷＰ（又はＤＬ／ＵＬ  ＢＷＰペア）は、ＵＥに設定／再設定されることができる。基本ＤＬ  ＢＷＰが設定されない場合、初期活性ＤＬ  ＢＷＰが基本ＤＬ  ＢＷＰとなる。Ｓｃｅｌｌにおいて、基本ＤＬ  ＢＷＰ（又はＤＬ／ＵＬ  ＢＷＰペア）は、タイマー満了時に用いられる基本ＤＬ  ＢＷＰ（又はＤＬ／ＵＬ  ＢＷＰペア）と共に、タイマーベース活性ＤＬ  ＢＷＰ（又はＤＬ／ＵＬ  ＢＷＰペア）の切り替えのためのタイマーをＵＥに設定することができる。Ｓｃｅｌｌのための基本ＤＬ  ＢＷＰは、上述した最初活性ＤＬ  ＢＷＰとは異なってもよい。
【００７６】
−  基本ＤＬ／ＵＬ  ＢＷＰではない活性ＤＬ／ＵＬ  ＢＷＰ：単一又は多重ＤＬ  ＢＷＰとＵＬ  ＢＷＰ（又はＤＬ／ＵＬ  ＢＷＰペア）は、シグナリングによって半−静的にＵＥに設定されることができる。ＵＥは、設定されたＢＷＰセットのうち少なくとも１つのＤＬ  ＢＷＰと１つのＵＬ  ＢＷＰが与えられた時点に活性化されると期待する。関連ニューマロロジー（ｎｕｍｅｒｏｌｏｇｙ）を用いる活性ＤＬ／ＵＬ  ＢＷＰ内で受信／送信を行うとＵＥは仮定する。
【００７７】
−  ＤＬ／ＵＬ  ＢＷＰペア：ペアリングされていないスペクトルにおいて、ＵＥに対するＵＥ−固有のサービングセルのそれぞれに対して、ＤＬ／ＵＬ  ＢＷＰペアのＤＬ  ＢＷＰとＵＬ  ＢＷＰは同一の中心周波数を共有するものの、互いに異なる帯域幅を有してもよいというＲｅｌ−１５の制限下、ＵＥにＤＬ  ＢＷＰとＵＬ  ＢＷＰをペアとして共に設定する。ペアリングされるスペクトルにおいて、ＵＥに対するＵＥ−固有のサービングセルのそれぞれに対して、Ｒｅｌ−１５ではＤＬ  ＢＷＰとＵＬ  ＢＷＰは別々に、また独立的に設定される。今まで、ペアリングされたＤＬ／ＵＬ  ＢＷＰは、セル−共通に設定されるか、又はＵＥ−特定に設定されるかについて何ら論議されていない。上述した合議に基づけば、ペアリングされていないスペクトルに対しては、ＵＥ−特定の方式でＤＬ  ＢＷＰとＵＬ  ＢＷＰがペアとして共に設定できるようにみえる。
【００７８】
ＤＬ  ＢＷＰとＵＬ  ＢＷＰの活性化／非活性化は、専用ＲＲＣシグナリング、ＤＣＩ又はタイマーによって行われる。タイマーに基づいた切り替えは、基本ＤＬ  ＢＷＰに対するフォールバックメカニズムを支援するためである。この場合、基本ＤＬ  ＢＷＰではないＤＬ  ＢＷＰに切り替えられる場合、ＵＥはタイマーを開始して、ＵＥの活性ＤＬ  ＢＷＰにあるＰＤＳＣＨをスケジューリングするＤＣＩを成功裏にデコードした場合、タイマーを初期値として再開する。また、ＵＥはＢＷＰ非活性タイマーが満了する場合、自身の活性ＤＬ  ＢＷＰを基本ＤＬ  ＢＷＰに切り替える。活性ＤＬ／ＵＬ  ＢＷＰがペアリングされた場合、ＵＥは切り替え条件が満たされる場合、基本ＤＬ／ＵＬ  ＢＷＰに切り替える。
【００７９】
より広い帯域幅動作において、準−持続的スケジューリング（ＳＰＳ）は、端末に構成されてもよい。今までの合議によれば、ＤＬ  ＢＷＰ（Ｂａｎｄｗｉｄｔｈ  Ｐａｒｔ）は、下りリンク制御情報（ＤＣＩ）を介した下りリンク（ＤＬ）又は上りリンク（ＵＬ）スケジューリングによるか、又は該当ＤＬ  ＢＷＰに関連するＢＷＰ非活動タイマー（ＢＷＰ  ｉｎａｃｔｉｖｉｔｙ  ｔｉｍｅｒ）満了によって切り替えられる。現在のＳＰＳ手順に従うと、上位層であるＲＲＣ（Ｒａｄｉｏ  Ｒｅｓｏｕｒｃｅ  Ｃｏｎｔｒｏｌ）によって設定されたＳＰＳが活性化される場合、端末は、別途の明示的なＤＬ／ＵＬスケジューリング割り当てなく、周期的にＤＬ  ｄａｔａを受信したり、ＵＬ  ｄａｔａを送信するとき、設定されたＳＰＳリソースを用いることができる。ＭＡＣエンティティがＵＬ送信ＳＰＳリソースをスキップするように設定された場合、ＭＡＣ  ＳＤＵのないＭＡＣ  ＰＤＵを有する周期的ＢＳＲ（Ｂｕｆｆｅｒ  Ｓｔａｔｕｓ  Ｒｅｐｏｒｔｉｎｇ）又はフェーディングＢＳＲを有するＭＡＣ  ＣＥのみを含む場合、端末は、設定されたＳＰＳリソースを用いない。この条件下、上りリンクリソース又は下りリンクリソースを用いて、送信又は受信するＭＡＣ  ＰＤＵがない場合、設定されたＤＬ／ＵＬ  ＳＰＳリソースも実際に用いられない。
【００８０】
一方、今までの合議によれば、端末は、その活性化されたＤＬ  ＢＷＰ（又はその活性化されたＤＬ−ＵＬ  ＢＷＰペア）内のＰＤＳＣＨのスケジューリングのためのＤＣＩを成功裏にデコードするときに限って、その活性化ＤＬ  ＢＷＰに関連するＢＷＰ非活性化タイマーを初期値として再開する。端末は、ＤＣＩを介したＤＬ／ＵＬスケジューリング情報の明示的な受信なく、設定されたＤＬ／ＵＬ  ＳＰＳリソースを用いてＭＡＣ  ＰＤＵを受信又は送信することができるものの、ＢＷＰ非活性タイマーは再開しない。
【００８１】
図７を参照すると、基本（ｄｅｆａｕｌｔ）ＢＷＰではないＢＷＰ１が活性化状態になる場合、該ＢＷＰ１と連係されたＢＷＰ非活性タイマーが開始される。ＢＷＰ１においてＳＰＳリソース構成が活性化される場合、端末は該設定されたＳＰＳリソースを用いてデータを送信又は受信する。問題は、Ａ地点である。現在の規格によれば、ＢＷＰ非活性タイマーが満了すると、ＢＷＰ１は基本ＢＷＰへ切り替えられなければならない。しかし、ＳＰＳを用いて受信すべき下りリンクデータがある場合、基地局が基本ＢＷＰに切り替えられる時点が分からないため、下りリンクデータの損失が不可避的である。
【００８２】
よって、ＢＷＰ非活性化タイマーの動作は、ＳＰＳ動作を考慮して再定義される必要がある。
【００８３】
図８は、本発明の実施例による無線通信システムにおいて端末によってＢＷＰ動作を処理する方法に関する概念図である。
【００８４】
本実施例は、ＵＥ観点から説明する。
【００８５】
本発明は、ＢＷＰ動作においてＳＰＳリソースを考慮して、ＤＬ  ＢＷＰに関連するタイマーを再開することを提案する。よって、タイマーを再開するもう１つの条件として、ＤＬ  ＳＰＳリソースがあるとき、又はＤＬ  ＳＰＳリソースがあり、且つＵＥがＤＬ  ＳＰＳリソースでＭＡＣ  ＰＤＵを受信するとき、ＵＥがタイマーを再開することが考えられる。
【００８６】
ここで、タイマーは、ＢＷＰタイマー又はＢＷＰ非活性タイマーとも呼ばれる。該タイマーは、基本／初期ＤＬ  ＢＷＰではない他のＤＬ  ＢＷＰに関連する。該タイマーは、セルのＢＷＰごとに設定されてもよく、ＢＷＰが活性化されると開始することができる。ＤＬ  ＢＷＰに関連するタイマーが動作する間に、ＵＥはＤＬ  ＢＷＰが活性化されていると仮定する。
【００８７】
ＵＥは、ＲＲＣメッセージを通じてネットワークからＤＬ／ＵＬ  ＳＰＳ設定情報を受信する（Ｓ８０１）。ＤＬ／ＵＬ  ＳＰＳ設定情報は、ＤＬ／ＵＬ  ＳＰＳリソース区間、ＤＬ／ＵＬ  ＨＡＲＱプロセスの数などから少なくとも１つを含む。ＤＬ／ＵＬ  ＳＰＳ設定情報は、セルごとに又はＢＷＰごとに提供される。
【００８８】
下りリンクにおいて、ネットワークは、ＰＤＣＣＨ上Ｃ−ＲＮＴＩを通じてＵＥにリソースを動的に割り当てることができる。ＵＥは、下りリンク受信が可能な時（設定時に、ＤＲＸによって制御される活動）、あり得る割り当てを検出するために、常にＰＤＣＣＨをモニタリングする。ＣＡが設定される場合、同一のＣ−ＲＮＴＩが全てのサービングセルに適用される。
【００８９】
ネットワークは、１つのＵＥに現在進行中のＰＤＳＣＨ送信より、他のＵＥに対する遅延に敏感な送信を優先してもよい。ネットワークは、ＵＥがＰＤＣＣＨ上でＩＮＴ−ＲＮＴＩを用いて中止された送信指示（ｉｎｔｅｒｒｕｐｔｅｄ  ｔｒａｎｓｍｉｓｓｉｏｎ  ｉｎｄｉｃａｔｉｏｎ）をモニタリングするように設定することができる。ＵＥが中止された送信指示を受信する場合、この指示に含まれたリソース要素のうち一部がＵＥに既にスケジューリングされたとしても、該リソース要素にはＵＥにとって有用な情報が載せられていないと仮定する。
【００９０】
また、ネットワークは、準−持続的スケジューリング（Ｓｅｍｉ−Ｐｅｒｓｉｓｔｅｎｔ  Ｓｃｈｅｄｕｌｉｎｇ：ＳＰＳ）を通じてＵＥに初期ＨＡＲＱ送信のための下りリンクリソースを割り当てることができる。ＲＲＣは、設定された下りリンク割り当ての周期を定義して、一方、ＣＳ−ＲＮＴＩで指定されたＰＤＣＣＨ（ＰＤＣＣＨ  ａｄｄｒｅｓｓｅｄ  ｔｏ  ＣＳ−ＲＮＴＩ）は、設定された下りリンク割り当てをシグナリングして活性化するか、又は非活性化する。即ち、ＣＳ−ＲＮＴＩで指定されたＰＤＣＣＨは、下りリンク割り当てが非活性化されるまでＲＲＣによって定義された周期に従って暗示的に再使用できることを指示する。
【００９１】
上りリンクにおいて、ネットワークは、ＰＤＣＣＨ上のＣ−ＲＮＴＩを通じてＵＥに動的にリソースを割り当てる。ＵＥは、下りリンク受信が可能な時（設定時に、ＤＲＸによって制御される活動）、上りリンク送信に対して、あり得るグラントを検出するために、常にＰＤＣＣＨをモニタリングする。ＣＡが設定される場合、同一のＣ−ＲＮＴＩが全てのサービングセルに適用される。
【００９２】
また、ネットワークは、設定されたグラントを通じてＵＥに最初ＨＡＲＱ送信のための上りリンクリソースを割り当てることができる。２つ種類の設定された上りリンクグラントが定義される。
【００９３】
Ｔｙｐｅ  １を用いて、ＲＲＣは、（周期を含む）設定された上りリンクグラントを直接に提供する。また、Ｔｙｐｅ  ２を用いて、ＲＲＣは、設定された上りリンクグラントの周期を定義して、一方、ＣＳ−ＲＮＴＩで指定されたＰＤＣＣＨは、設定された上りリンクグラントをシグナリングして活性化又は非活性化する。即ち、ＣＳ−ＲＮＴＩで指定されたＰＤＣＣＨは、上りリンクグラントが非活性化されるまでＲＲＣによって定義された周期に従って暗示的に再使用できることを指示する。
【００９４】
設定された上りリンクグラントが活性であるとき、ＵＥがＰＤＣＣＨ上で自身のＣ−ＲＮＴＩ／ＣＳ−ＲＮＴＩが検出できない場合、設定された上りリンクグラントに従って上りリンク送信を行うことができる。そうではなく、ＵＥがＰＤＣＣＨ上で自身のＣ−ＲＮＴＩ／ＣＳ−ＲＮＴＩが検出できた場合、設定された上りリンクグラントは無視して、ＰＤＣＣＨ割り当てに従う。繰り返しではない再送信は、ＰＤＣＣＨを通じて明示的に割り当てられる。
【００９５】
ここで、ＳＰＳ設定とは、ＲＲＣエンティティがＳＰＳ設定を確立した場合、ＭＡＣエンティティがＲＲＣシグナリングからＤＬ又はＵＬ  ＳＰＳ設定情報を受信することを意味する。ＳＰＳ動作は、ＭＡＣエンティティで活性化されない。或いは、ＳＰＳ設定とは、ＳＰＳ非活性化を指示するＰＤＣＣＨが受信された場合、ＭＡＣエンティティがＳＰＳ動作を非活性化することを意味する。ＲＲＣエンティティでは、ＳＰＳ動作が解除されない。この状況下、ＭＡＣエンティティは「ＤＬ又はＵＬ設定」が存在するとみなす。
【００９６】
ここで、ＳＰＳ活性化を指示するＰＤＣＣＨを受信した場合、ＭＡＣエンティティは、ＳＰＳ動作を活性化する。ＤＬ  ＳＰＳリソースに対して、ＵＥはＤＬ  ＳＰＳリソース上でＭＡＣ  ＰＤＵを受信することができる。ＵＬ  ＳＰＳリソースに対して、ＵＥはＵＬ  ＳＰＳリソース上でＭＡＣ  ＰＤＵを送信することができる。この状況下、ＭＡＣは周期的に「ＤＬ又はＵＬ設定」が存在するとみなす。
【００９７】
ＵＥは、ネットワークからＲＲＣメッセージを通じてＢＷＰ設定情報を受信する（Ｓ８０３）。ＢＷＰ設定情報は、ＤＬ／ＵＬ搬送波周波数、ＤＬ／ＵＬ帯域幅、ＢＷＰ非活性化タイマーなどから少なくとも１つを含む。多重ＢＷＰは、セルごとに設定されてもよい。ＢＷＰ非活性化タイマーは、ＢＷＰごとに設定されてもよい。
【００９８】
ＢＷＰ設定に対して、単一又は多重ＢＷＰがＲＲＣシグナリングを通じてＵＥに設定されることができる。ペアリングされていないスペクトルに対して、ＤＬ  ＢＷＰとＵＬ  ＢＷＰがペアとして共に設定されてもよい。或いは、ペアリングされたスペクトルに対して、ＤＬ  ＢＷＰとＵＬ  ＢＷＰが別々に設定されてもよい。設定されたＢＷＰセットのうちセルの少なくとも１つのＤＬ  ＢＷＰと１つのＵＬ  ＢＷＰは、与えられた時点の間に活性化されることができる。
【００９９】
ＵＥは、ネットワークからＢＷＰ活性化情報を受信する。ＢＷＰ活性化情報は、ＵＥがいずれのＢＷＰを活性化するかを指示する。ＵＥがネットワークからＢＷＰ活性化情報を受信した場合、ＵＥは指示されたＢＷＰを活性化して、指示されたＢＷＰに関連する該当タイマーを開始する（Ｓ８０５）。タイマーが動作する間に、ＵＥは該当ＢＷＰが活性化されるとみなし、ＢＷＰへ／からＭＡＣ  ＰＤＵを送信／受信することができる。
【０１００】
ＵＥは、活性化されたＢＷＰにおいてＳＰＳ−Ｃ−ＲＮＴＩ（又は、ＣＳ−ＲＮＴＩ）で指定されたＰＤＣＣＨをモニタリングする（Ｓ８０７）。  
【０１０１】
ＵＥがＳＰＳ−Ｃ−ＲＮＴＩ（又は、ＣＳ−ＲＮＴＩ）で指定されたＰＤＣＣＨを受信して、ＰＤＣＣＨがＳＰＳ活性化を指示する場合、ＵＥは受信されたＳＰＳ設定情報を用いてＳＰＳリソースセットを構成する。ＳＰＳリソースセットは、時間ドメインにおいて周期的な１つ以上のＳＰＳリソースを含む。ここで、ＤＬ  ＳＰＳリソースは、ＤＬ  ＢＷＰ上で設定され、ＵＬ  ＳＰＳリソースは、ＤＬ  ＢＷＰに関連するＵＬ  ＢＷＰ上で設定される。
【０１０２】
ＵＥは、以下のような時点にタイマーを再開する（Ｓ８０９）。
【０１０３】
第一、ＵＥは、ＵＬ  ＳＰＳリソースが存在するか、ＤＬ  ＳＰＳリソースが存在するとき点にタイマーを再開する。この場合、ＳＰＳリソースが存在するとき点は、ＳＰＳリソースのあるＴＴＩの時間値で定義されてもよい。
【０１０４】
第ニ、ＵＥは、ＵＬ  ＳＰＳリソースが存在して、ＵＬ  ＳＰＳリソース上でＭＡＣ  ＰＤＵを送信するとき点にタイマーを再開する。この場合、ＭＡＣ  ＳＤＵを含まないＭＡＣ  ＰＤＵは、タイマーの再開をトリガすることができない。
【０１０５】
ＵＬ  ＳＰＳリソースが存在して、ＵＥがＵＬ  ＳＰＳリソース上でＭＡＣ  ＰＤＵを送信するとき点は、ＵＬ  ＭＡＣ  ＰＤＵを有するＴＴＩの時間値、又はＳＰＳ  ＰＵＳＣＨリソース上でＵＬ  ＭＡＣ  ＰＤＵが送信／コードされる開始時点、又はＳＰＳ  ＰＵＳＣＨリソース上でＵＬ  ＭＡＣ  ＰＤＵが送信コードされる終了時点で定義されてもよい。
【０１０６】
第三、ＵＥは、ＤＬ  ＳＰＳリソースが存在して、ＤＬ  ＳＰＳリソース上でＭＡＣ  ＰＤＵを受信するとき点にタイマーを再開する。
【０１０７】
ＤＬ  ＳＰＳリソースが存在して、ＵＥがＤＬ  ＳＰＳリソース上でＭＡＣ  ＰＤＵを受信するとき点は、ＤＬ  ＭＡＣ  ＰＤＵを有するＴＴＩの時間値、又はＳＰＳ  ＰＵＳＣＨリソース上でＤＬ  ＭＡＣ  ＰＤＵが送信／コードされる開始時点、又はＳＰＳ  ＰＵＳＣＨリソース上でＤＬ  ＭＡＣ  ＰＤＵが送信／コードされる終了時点で定義されてもよい。
【０１０８】
ＴＴＩの時間値は、サブフレーム／スロット／シンボル単位に基づき、これはニューマロロジーによって異なり得る。
【０１０９】
ここで、ＭＡＣ  ＰＤＵは、少なくとも１つのＭＡＣ  ＳＤＵ、ＭＡＣ  ＣＥ又はＭＡＣヘッダを含むことができる。
【０１１０】
好ましくは、ＵＬデータがＵＬ  ＳＰＳリソース上送信されないか、ＤＬデータがＤＬ  ＳＰＳリソース上で受信されないとき、ＤＬ  ＢＷＰに関連するタイマーは再開されない。
【０１１１】
タイマーが満了するとき、ＵＥは、活性ＢＷＰを基本ＢＷＰ又は初期ＢＷＰに切り替える（Ｓ８１１）。これは、ＵＥが該当ＤＬ  ＢＷＰを非活性化して、他のＢＷＰ（即ち、基本ＢＷＰ又は初期ＢＷＰ）を活性化できることを意味する（Ｓ８１１）。
【０１１２】
上述した提案方法は、図６に示されたように、端末（ＵＥ）によって行われるが、端末は同一の動作を行ういずれの機器でも関係ない。
【０１１３】
図６に示されたように、ＵＥ１１００又は１２００は、プロセッサ１１１１又は１２１１、メモリ１１１２又は１２１２及びＲＦモジュール（送受信器）１１１３又は１２１３を備えてもよい。プロセッサ１１１１又は１２１１は、送受信器１１１３又は１２１３と電気的に接続され、これを制御する。
【０１１４】
具体的に、図６はＵＥを示すが、ＵＥは、機能的にメモリ１１１２又は１２１２と接続され、ＵＥがサービングセルのための活性ＢＷＰをＤＬ  ＢＷＰに切り替える時、ＤＬ  ＢＷＰに関連するタイマーを開始して、送受信器１１１３又は１２１３を通じてＵＬ  ＳＰＳリソースのうち１つでＵＬデータを送信するか、ＤＬ  ＳＰＳリソースのうち１つでＤＬデータを受信して、送受信器１１１３又は１２１３によってＵＬ  ＳＰＳリソース上でＵＬデータが送信されるか、ＤＬ  ＳＰＳリソース上でＤＬデータが受信されるとき、ＤＬ  ＢＷＰに関連するタイマーを再開するように構成されるプロセッサ１１１１又は１２１１を備える。
【０１１５】
上述した提案方法は、プロセシングチップによって行われてもよい。ＳｏＣの場合、プロセシングチップは、プロセッサ１１１１又は１２１１とメモリ１１１２又は１２１２とを含むことができ、通信装置１１００又は１２００に実装、設置又は接続されることができる。
【０１１６】
プロセシングチップは、ＵＥがサービングセルのための活性ＢＷＰをＤＬ  ＢＷＰに切り替えると、ＤＬ  ＢＷＰに関連するタイマーを開始して、送信器又は受信器を通じてＵＬ  ＳＰＳリソースのうち１つでＵＬデータを送信するか、ＤＬ  ＳＰＳリソースのうち１つでＤＬデータを受信して、またＵＬ  ＳＰＳリソース上でＵＬデータを送信するか、ＤＬ  ＳＰＳリソース上でＤＬデータを受信する場合、ＤＬ  ＢＷＰに関連するタイマーを再開するように構成できる。
【０１１７】
プロセシングチップのメモリ１１１２又は１２１２は、プロセッサによって行われるとき、プロセッサが本発明で論議された機能、方法又は過程のうち一部又は全部を行うようにする命令語を含むソフトウェアコードを格納するように構成できる。
【０１１８】
プロセシングチップに機能的に接続されるかカップリングされた送受信器１１１３又は１２１３は、プロセシングチップのプロセッサ１１１１又は１２１１の制御下に、ＵＬ  ＳＰＳリソースのうち１つでＵＬデータを送信するか、ＤＬ  ＳＰＳリソースのうち１つでＤＬデータを受信することができる。
【０１１９】
具体的に、図６は、ＵＥを示すが、ＵＥは、機能的にメモリに接続され、ＵＥがサービングセルのための活性ＢＷＰをＤＬ  ＢＷＰに切り替えるとき、ＤＬ  ＢＷＰに関連するタイマーを開始して、送信器又は受信器を通じてＵＬ  ＳＰＳリソースのうち１つでＵＬデータを送信するか、ＤＬ  ＳＰＳリソースのうち１つでＤＬデータを受信して、また送信器又は受信器１３５を通じてＵＬ  ＳＰＳリソース上でＵＬデータが送信されるか、ＤＬ  ＳＰＳリソース上でＤＬデータが受信されるとき、ＤＬ  ＢＷＰに関連するタイマーを再開するように構成されるプロセッサ１１０を備える。
【０１２０】
図９及び図１０は、本発明の実施例による無線通信システムにおいて、ＢＷＰ動作を処理する方法の一例を示す図である。
【０１２１】
次は、本発明の実施例によるＵＥが行う方法の一例を説明する。この例示では、以下の事項が前提となる。第一、１つのセルには１つのＢＷＰのみが活性状態となることを前提とする。第ニ、ＢＷＰが活性化状態である間に、活性ＢＷＰのタイマーは動作される。第三、ＤＬ又はＵＬ  ＳＰＳ構成は活性ＢＷＰに構成される。第四、ＳＰＳ動作は一応非活性化状態で始まる。
【０１２２】
ここで、タイマーは、ＢＷＰ非活性タイマーであってもよい。
【０１２３】
図９は、ＤＬ／ＵＬ  ＳＰＳリソースのある時点にＢＷＰのタイマーを再開する場合の一例である。
【０１２４】
端末が活性化ＢＷＰをＢＷＰ１に切り替える場合、ＢＷＰ１に対するタイマーを開始する（Ｓ９０１）。
【０１２５】
端末がＢＷＰ１でＳＰＳ活性化指示を受信する場合、端末はＢＷＰ１に構成されたＳＰＳリソースを活性化する（Ｓ９０３）。
【０１２６】
ＤＬ／ＵＬ  ＳＰＳリソースがある場合、端末はその設定されたＤＬ／ＵＬ  ＳＰＳリソースにおいてＭＡＣ  ＰＤＵを受信又は送信することができる。
【０１２７】
この場合、端末は、ＤＬ／ＵＬ  ＳＰＳリソースを用いてデータを受信又は送信することとは関係なく、ＤＬ／ＵＬ  ＳＰＳリソースを有するＴＴＩにおいてＢＷＰ１のタイマーを再開する。
【０１２８】
即ち、端末は、ＤＬ／ＵＬ  ＳＰＳリソースにおいて、ＭＡＣ  ＰＤＵを受信又は送信するＴＴＩにおいてＢＷＰ１のタイマーを再開することができる（Ｓ９０５）。さらに、端末は、スキップ（ｓｋｉｐ）されたＤＬ／ＵＬ  ＳＰＳリソースを有するＴＴＩにおいてＢＷＰ１のタイマーを再開することができる（Ｓ９０７）。  
【０１２９】
スキップされたＤＬ  ＳＰＳリソースに対して、ネットワークが設定されたＤＬ  ＳＰＳリソースをスキップする場合、ＵＥは、設定されたＤＬ  ＳＰＳリソースにおいてＭＡＣ  ＰＤＵを受信せず、スキップされたＵＬ  ＳＰＳリソースに対して、ＭＡＣがｓｋｉｐＵｐｌｉｎｋＴｘＳＰＳを有する設定されたＵＬ  ＳＰＳリソースをスキップするように構成され、ＵＬデータが存在しない時、ＵＥは、設定されたＵＬ  ＳＰＳリソースにおいてＭＡＣ  ＰＤＵを送信しない。また、ＮＲでは、最初のＨＡＲＱ送信のための準−持続的上りリンクリソースをＵＥに周期的に割り当てることができるが、ＵＥが送信するデータを有していない場合、ＵＥはそのリソースを無視する。即ち、ＮＲでは、設定されたグラント（ＣＧ）の周期性とは関係なく、ＣＧをスキップすることが必須である。この状況下、ＭＡＣは「スキップされたＤＬ又はＵＬ  ＳＰＳリソース」が存在できるとみなす。
【０１３０】
タイマーが満了する場合、端末は、活性ＢＷＰをＢＷＰ１から基本ＢＷＰに切り替える（Ｓ９０９）。
【０１３１】
図１０は、ＤＬ／ＵＬ  ＳＰＳリソースがあり、端末がＤＬ／ＵＬ  ＳＰＳリソースでＭＡＣ  ＰＤＵを受信又は送信するとき、ＢＷＰのタイマーを再開する場合の一例である。
【０１３２】
端末が活性化ＢＷＰをＢＷＰ１に切り替える場合、ＢＷＰ１に対するタイマーを開始する（Ｓ１００１）。
【０１３３】
端末がＢＷＰ１でＳＰＳ活性化指示を受信する場合、端末はＢＷＰ１に構成されたＳＰＳリソースを活性化する（Ｓ１００３）。
【０１３４】
端末がＢＷＰ１のＤＬ／ＵＬ  ＳＰＳリソースにおいてＭＡＣ  ＰＤＵを受信するのか、送信されるのかを判断する。
【０１３５】
ＤＬ／ＵＬ  ＳＰＳリソースにおいてＭＡＣ  ＰＤＵを受信又は送信する場合、ＭＡＣ  ＰＤＵを受信又は送信するＴＴＩにおいて、ＢＷＰ１のタイマーを再開する（Ｓ１００５）。ＤＬ／ＵＬ  ＳＰＳリソースにおいてＭＡＣ  ＰＤＵの受信又は送信がない場合、端末はＢＷＰ１のタイマーを再開しない（Ｓ１００７）。
【０１３６】
ＢＷＰ１においてＳＰＳ非活性指示子が受信される場合、端末は該ＢＷＰ１に設定されたＳＰＳリソースを非活性するが、依然としてＢＷＰ１のタイマーは動作する（Ｓ１００９）。
【０１３７】
タイマーが満了すると、端末は活性ＢＷＰをＢＷＰ１から基本ＢＷＰに切り替える（Ｓ１０１１）。
【０１３８】
本発明は、ＢＷＰ非活性タイマーの再開のための新たな条件に関する。即ち、現在の規格によれば、端末は、活性ＤＬ  ＢＷＰにおけるＰＤＳＣＨをスケジューリングするために、ＤＣＩを成功裏にデコードするときに限ってＢＷＰ非活性タイマーを初期値として再開する。即ち、端末は、基本ＢＷＰではない活性ＢＷＰにおいてＤＣＩなく用いられるＳＰＳリソースを考慮して、ＢＷＰ非活性タイマーを再開しない。そこで、ＤＬ  ＳＰＳリソースがあるか、ＤＬ  ＳＰＳリソースにおいてＭＡＣ  ＰＤＵを受信したとき、端末がＢＷＰ非活性タイマーを再開することを考慮する。ＤＬ  ＳＰＳスキップ（ｓｋｉｐｐｉｎｇ）を考慮する場合、ＤＬ  ＳＰＳリソースにおいてＭＡＣ  ＰＤＵを受信したとき、ＢＷＰ非活性タイマーを開始した方がより好ましいと考えられる。
【０１３９】
結果として、我々は端末が活性ＤＬ  ＢＷＰに対するＤＬ  ＳＰＳリソースにおいてＭＡＣ  ＰＤＵを受信したとき、その活性ＤＬ  ＢＷＰに関連するタイマーを再開することを提案する。
【０１４０】
図１１は、本発明の実施例による無線通信システムにおいて、基地局によってＢＷＰ動作を処理する方法に関する概念図である。
【０１４１】
本実施例は、ネットワーク装置の観点から説明する。ネットワーク装置は、ｅＮＢやｇＮＢを意味する。
【０１４２】
ネットワーク装置は、ＲＲＣメッセージを通じてＵＥにＤＬ／ＵＬ  ＳＰＳ設定情報を送信する（Ｓ１１０１）。ＤＬ／ＵＬ  ＳＰＳ設定情報は、ＤＬ／ＵＬ  ＳＰＳリソース区間、ＤＬ／ＵＬ  ＨＡＲＱプロセスの数などから少なくとも１つを含む。ＤＬ／ＵＬ  ＳＰＳ設定情報は、セルごとに又はＢＷＰごとに提供される。
【０１４３】
ネットワーク装置は、ＲＲＣメッセージを通じてＢＷＰ設定情報をＵＥに送信する（Ｓ１１０３）。ＢＷＰ設定情報は、ＤＬ／ＵＬ搬送波周波数、ＤＬ／ＵＬ帯域幅、ＢＷＰ非活性化タイマーなどから少なくとも１つを含む。多重ＢＷＰは、セルごとに設定される。ＢＷＰ非活性化タイマーは、ＢＷＰごとに設定される。
【０１４４】
ＢＷＰ設定に対して、単一又は多重ＢＷＰをＲＲＣシグナリングを通じてＵＥに設定することができる。ペアリングされていないスペクトルに対して、ＤＬ  ＢＷＰとＵＬ  ＢＷＰはペアとして共に設定されてもよく、又はペアリングされたスペクトルに対して、ＤＬ  ＢＷＰとＵＬ  ＢＷＰは別々に設定されてもよい。設定されたＢＷＰのうちセルの少なくとも１つのＤＬ  ＢＷＰと１つのＵＬ  ＢＷＰは、与えられた時間の間に活性化される。
【０１４５】
ネットワーク装置は、ＢＷＰ活性化情報をＵＥに送信する。ＢＷＰ活性化情報は、ＵＥがいずれのＢＷＰを活性化するかを指示する。ネットワーク装置がＵＥにＢＷＰ活性化情報を送信すると、ＵＥは指示されたＢＷＰを活性化して、該当タイマーを開始する（Ｓ１１０５）。タイマーが動作する間に、ネットワーク装置は、該当ＢＷＰが活性化されるとみなし、ネットワークはＢＷＰへ／からＭＡＣ  ＰＤＵを送信／受信することができる。
【０１４６】
ネットワーク装置は、活性化されたＢＷＰ上でＳＰＳ−Ｃ−ＲＮＴＩ（又は、ＣＳ−ＲＮＴＩ）で指定されたＰＤＣＣＨを送信して、これがＳＰＳ活性化を指示すると、ＵＥは受信されたＳＰＳ設定情報を用いてＳＰＳリソースセットを構成する（Ｓ１１０７）。ＳＰＳリソースセットは、時間ドメインにおいて周期的な１つ以上のＳＰＳリソースを含む。ここで、ＤＬ  ＳＰＳリソースは、ＤＬ  ＢＷＰ上で設定され、ＵＬ  ＳＰＳリソースはＤＬ  ＢＷＰに関連するＵＬ  ＢＷＰ上で設定される。
【０１４７】
ネットワーク装置は、設定されたＤＬ  ＳＰＳリソースに基づくＤＬデータをＵＥに送信するか、設定されたＵＬ  ＳＰＳリソースに基づくＵＬデータをＵＥから受信する（Ｓ１１０９）。
【０１４８】
ネットワークは、ＵＬ  ＳＰＳリソースが存在するか、ＤＬ  ＳＰＳリソースが存在するか、ＵＬ  ＳＰＳリソースが存在して、ネットワーク装置がＵＬ  ＳＰＳリソース上でＭＡＣ  ＰＤＵを受信するか、又はＤＬ  ＳＰＳリソースが存在して、ネットワーク装置がＤＬ  ＳＰＳリソース上でＭＡＣ  ＰＤＵを送信するとき点にタイマーを再開する（Ｓ１１１１）。
【０１４９】
上述した提案方法は、図６に示されたように、ネットワーク装置によって行われるが、ネットワーク装置は、同一の動作を行ういずれの機器でも関係ない。
【０１５０】
図６に示されたように、ネットワーク装置は、プロセッサ１１１１又は１２１１、メモリ１１１２又は１２１２及びＲＦモジュール（送受信器）１１１３又は１２１３を備えてもよい。プロセッサ１１１１又は１２１１は、送受信器１１１３又は１２１３と電気的に接続され、これを制御する。
【０１５１】
具体的に、図６は、ネットワーク装置を示すが、ネットワーク装置は、機能的にＲＦモジュール（送受信器）１１１３又は１２１３に接続され、ＵＥにＤＬ／ＵＬ  ＳＰＳ設定情報を送信して、ＲＲＣメッセージを介してＢＷＰ設定情報をＵＥに送信して、ＵＥにＢＷＰ活性化情報を送信して、ＳＰＳ−Ｃ−ＲＮＴＩで指定されたＰＤＣＣＨを送信して、送受信器１１１３又は１２１３を介して、設定されたＤＬ  ＳＰＳリソースによるＤＬデータを送信するか、設定されたＵＬ  ＳＰＳリソースによるＵＬデータを受信して、またネットワークが送受信器１１１３又は１２１３を介して、設定されたＤＬ  ＳＰＳリソースによるＤＬデータを送信するか、設定されたＵＬ  ＳＰＳリソースによるＵＬデータを受信するとき点にタイマーを再開するように構成される、プロセッサ１１１１又は１２１１を備える。
【０１５２】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１５３】
前述した実施例は、例えば、ハードウェア、ファームウェア、ソフトウェア又はこれらの組合せのような様々な手段によって具現されてもよい。
【０１５４】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１５５】
ファームウェアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１５６】
本発明は、本発明の特徴を逸脱しない範囲内で他の特定の形態に具体化できるということは、当業者にとって自明である。したがって、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１５７】
以上の方法は、３ＧＰＰ  ＬＴＥまたはＮＲシステムに適用される例示を中心に説明されたが、本発明は３ＧＰＰ  ＬＴＥまたはＮＲシステムの他にも様々な無線通信システムに適用可能である。
【図１】
0006953615.tif 000002
【図２ａ】
0006953615.tif 000003
【図２ｂ】
0006953615.tif 000004
【図３（ａ）】
0006953615.tif 000005
【図３（ｂ）】
0006953615.tif 000006
【図４ａ】
0006953615.tif 000007
【図４ｂ】
0006953615.tif 000008
【図５（ａ）】
0006953615.tif 000009
【図５（ｂ）】
0006953615.tif 000010
【図６】
0006953615.tif 000011
【図７】
0006953615.tif 000012
【図８】
0006953615.tif 000013
【図９】
0006953615.tif 000014
【図１０】
0006953615.tif 000015
【図１１】
0006953615.tif 000016